(57)【要約】【課題】従来の圧縮機では、モータで生じる電磁加振力に起因する圧縮機本体の振動によって騒音が発生する問題がある。【解決手段】この圧縮機１は、ケーシング２と、ケーシング２の内部に配置されたモータ８とを備える。モータ８は、ロータ３０と、ロータ３０の外側に配置されたステータ２０とを有する。そして、ケーシング２の外周かつステータ２０と対応する位置の一部に、ケーシング２を締め付ける固定部材５０（締付部材）が設けられる。また、ケーシング２と固定部材５０との間には、ケーシング２の全周を覆う弾性部材４０が設けられる。【選択図】図２
2015014238.tif 000002
【特許請求の範囲】
【請求項１】
ケーシングと、前記ケーシングの内部に配置されたモータとを備える圧縮機であって、
前記モータは、
ロータと、
前記ロータの外側に配置されたステータとを有し、
前記ケーシングの外周かつ前記ステータと対応する位置の少なくとも一部に、前記ケーシングを締め付ける締付部材が設けられることを特徴とする圧縮機。
【請求項２】
前記ケーシングの外周かつ前記ステータと対応する位置の少なくとも一部に、前記ケーシングの全周を覆う弾性部材が設けられることを特徴とする請求項１に記載の圧縮機。
【請求項３】
前記ケーシングの外部に配置されたアキュムレータと、
前記アキュムレータの外周に設けられ、前記アキュムレータを前記ケーシングに固定する固定具とを有し、
前記締付部材が、前記固定具と、前記固定具に取り付けられたバンドとを含んでおり、
前記ケーシングと前記締付部材との間に前記弾性部材が設けられることを特徴とする請求項２に記載の圧縮機。
【発明の詳細な説明】
【技術分野】
【０００１】
本発明は、ロータとステータを有するモータを備える圧縮機に関する。
【背景技術】
【０００２】
従来の圧縮機としては、モータが内部に配置された圧縮機本体と、圧縮機本体の外部に配置されたアキュムレータとを備えたものがある。モータは、ロータと、ロータの外側に配置されたステータとを有している。
【０００３】
この圧縮機本体の外周には、図４に示すように、アキュムレータ１１０を圧縮機本体１０１に固定するための支持台１５１（固定具）が溶接されている。そして、アキュムレータ１１０の外周に配置された金属製のバンド１５２がこの支持台１５１に取り付けられることによって、アキュムレータ１１０が圧縮機本体１０１に固定されている。
【０００４】
また、支持台１５１とアキュムレータ１１０との間には、弾性部材１４０が設けられている。この弾性部材１４０によって、モータ１０８で生じる電磁加振力に起因する圧縮機本体１０１の振動がアキュムレータ１１０に伝達されることが抑制されている。
【先行技術文献】
【特許文献】
【０００５】
【特許文献１】特開２００７−１６２６４１号公報
【発明の概要】
【発明が解決しようとする課題】
【０００６】
上記の圧縮機では、アキュムレータの外周に配置された弾性部材によって、圧縮機本体からアキュムレータに伝達される振動が抑制される。しかし、この圧縮機では、モータで生じる電磁加振力に起因する圧縮機本体の振動自体を低減させることはできない。そのため、圧縮機本体の振動によって騒音が発生する問題がある。
【０００７】
そこで、本発明の目的は、モータで生じる電磁加振力に起因する圧縮機本体の振動を低減できる圧縮機を提供することである。
【課題を解決するための手段】
【０００８】
第１の発明にかかる圧縮機は、ケーシングと、前記ケーシングの内部に配置されたモータとを備える圧縮機であって、前記モータは、ロータと、前記ロータの外側に配置されたステータとを有し、前記ケーシングの外周かつ前記ステータと対応する位置の少なくとも一部に、前記ケーシングを締め付ける締付部材が設けられることを特徴とする。
【０００９】
この圧縮機では、ケーシングの外周かつステータと対応する位置の少なくとも一部に、ケーシングを締め付ける締付部材が設けられる。そのため、締付部材の締付力によって圧縮機本体の剛性が向上する。したがって、モータで生じる電磁加振力に起因する圧縮機本体の振動を低減できる。
【００１０】
第２の発明にかかる圧縮機では、第１の発明にかかる圧縮機において、前記ケーシングの外周かつ前記ステータと対応する位置の少なくとも一部に、前記ケーシングの全周を覆う弾性部材が設けられることを特徴とする。
【００１１】
この圧縮機では、ケーシングの外周かつステータと対応する位置の少なくとも一部に、ケーシングの全周を覆う弾性部材が設けられる。そのため、この弾性部材によって、ステータから径方向外側への音響放射を減衰させることができる。したがって、モータで生じる電磁加振力に起因する圧縮機本体の振動を低減できる。
【００１２】
第３の発明にかかる圧縮機では、第２の発明にかかる圧縮機において、前記ケーシングの外部に配置されたアキュムレータと、前記アキュムレータの外周に設けられ、前記アキュムレータを前記ケーシングに固定する固定具とを有し、前記締付部材が、前記固定具と、前記固定具に取り付けられたバンドとを含んでおり、前記ケーシングと前記締付部材との間に前記弾性部材が設けられることを特徴とする。
【００１３】
この圧縮機では、締付部材が、固定具と、固定具に取り付けられたバンドとを含んでいる。また、ケーシングと締付部材との間に弾性部材が設けられる。そのため、この弾性部材によって、ステータから径方向外側への音響放射を減衰させることができるとともに、圧縮機本体からアキュムレータに伝達される振動を抑制できる。したがって、ステータから径方向外側への音響放射を減衰させる弾性部材と、圧縮機本体からアキュムレータに伝達される振動を抑制する弾性部材とを共通化できる。
また、バンドが、ケーシングを締め付ける役割と、アキュムレータを圧縮機本体に固定する固定具を保持する役割を兼ねている。そのため、ケーシングを締め付ける部材と、固定具を保持する部材とを共通化できる。
【発明の効果】
【００１４】
以上の説明に述べたように、本発明によれば、以下の効果が得られる。
【００１５】
第１の発明では、ケーシングの外周かつステータと対応する位置の少なくとも一部に、ケーシングを締め付ける締付部材が設けられる。そのため、締付部材の締付力によって圧縮機本体の剛性が向上する。したがって、モータで生じる電磁加振力に起因する圧縮機本体の振動を低減できる。
【００１６】
第２の発明では、ケーシングの外周かつステータと対応する位置の少なくとも一部に、ケーシングの全周を覆う弾性部材が設けられる。そのため、この弾性部材によって、ステータから径方向外側への音響放射を減衰させることができる。したがって、モータで生じる電磁加振力に起因する圧縮機本体の振動を低減できる。
【００１７】
第３の発明では、締付部材が、固定具と、固定具に取り付けられたバンドとを含んでいる。また、ケーシングと締付部材との間に弾性部材が設けられる。そのため、この弾性部材によって、ステータから径方向外側への音響放射を減衰させることができるとともに、圧縮機本体からアキュムレータに伝達される振動を抑制できる。したがって、ステータから径方向外側への音響放射を減衰させる弾性部材と、圧縮機本体からアキュムレータに伝達される振動を抑制する弾性部材とを共通化できる。
また、バンドが、ケーシングを締め付ける役割と、アキュムレータを圧縮機本体に固定する固定具を保持する役割を兼ねている。そのため、ケーシングを締め付ける部材と、固定具を保持する部材とを共通化できる。
【図面の簡単な説明】
【００１８】
【図１】本発明の実施形態に係る圧縮機を示す外観図である。
【図２】図１に示す圧縮機本体を断面で示す一部断面図である。
【図３】図１に示す圧縮機のIII-III線断面図である。
【図４】従来の圧縮機を示す外観図である。
【発明を実施するための形態】
【００１９】
以下、図面を参照しつつ本発明に係る圧縮機の実施の形態について説明する。
【００２０】
［圧縮機の全体構成］
図１に示すように、本実施形態の圧縮機は、圧縮機本体１と、アキュムレータ１０とを有している。
【００２１】
［圧縮機本体１の構成］
圧縮機本体１は、図２に示すように、冷媒を圧縮する圧縮機構６と、圧縮機構６の上方に配置され、シャフト７を介して圧縮機構６を駆動するモータ８と、これらを収容するケーシング２とを有している。この圧縮機本体１は、吸入管３から導入された冷媒（例えばフルオロカーボン類）を圧縮して吐出管４から排出する。また、この圧縮機本体１は、例えば空調装置などの冷凍サイクルに組み込まれて使用され、図１に示す向き、即ち、シャフト７の向きが上下方向となる向きに設置される。
【００２２】
ケーシング２の上部には、圧縮機構６で圧縮された冷媒を排出するための吐出管４と、後述するコイル２３に電流を供給するためのターミナル端子５とが設けられている。なお、図２では、このコイル２３とターミナル端子５とを接続する配線を省略している。また、ケーシング２の側部には、圧縮機本体１に冷媒を導入するための吸入管３が設けられている。ケーシング２内の底部には、圧縮機構６の摺動部の動作を滑らかにすると共に、圧縮機構６の隙間をシールするための潤滑油Ｌが貯留されている。
【００２３】
＜圧縮機構６＞
圧縮機構６は、シリンダ１１と、シリンダ１１の内部に配置されるピストン１２と、シリンダ１１の上方に配置されるフロントヘッド１３と、フロントヘッド１３の上方に配置されるマフラ部材１４と、シリンダ１１の下方に配置されるリアヘッド１５とを有している。
【００２４】
＜モータ８＞
モータ８は、略円筒状のステータ２０と、このステータ２０の径方向内側に配置され、内部にシャフト７が配置される円筒状のロータ３０とを有している。
【００２５】
ステータ２０は、ケーシング２の内周面に固定された略円筒状のコア２１と、コア２１の上下両端面に取り付けられたインシュレータ２２と、コア２１およびインシュレータ２２の内周部に巻回されたコイル２３とを有している。
【００２６】
ロータ３０は、ステータ２０のコア２１との間に隙間（エアギャップ）が設けられるように、コア２１の径方向内側に配置されたコア３１を有している。
【００２７】
［弾性部材４０］
図２に示すように、ケーシング２の外周かつステータ２０と対応する位置の一部には、弾性部材４０が配置されている。この弾性部材４０は、ゴム部材であって、図３に示すように、断面視においてケーシング２の全周を覆っている。なお、図３においては、圧縮機本体１の内部構造、およびアキュムレータ１０の内部構造を省略して図示している。
【００２８】
ここで、ステータ２０と対応する位置とは、図２に示すように、ケーシング２の外周のうち、ステータ２０の径方向外側部分である範囲Ｒを言う。上記の弾性部材４０は、図２に示すように、上下方向においてステータ２０と対応する位置の一部に配置されており、特にステータ２０のコア２１と対応する位置に配置されている。
【００２９】
［固定部材５０（締付部材）］
また、この弾性部材４０の径方向外側には、ケーシング２を締め付ける固定部材５０（締付部材）が配置されている。この固定部材５０は、アキュムレータ１０の外周に溶接された金属製の支持台５１（固定具）と、ケーシング２の外周に断面視Ｃ字型に配置されるとともに、支持台５１に取り付けられる金属製のバンド５２とを含む。
【００３０】
支持台５１は、図３に示すように、アキュムレータ１０の外周面に沿って延び、アキュムレータ１０の外周に溶接される溶接部６１と、ケーシング２の外周面に沿って延び、弾性部材４０と当接する当接部６２とを有している。そして、バンド５２の両端５２ａ、５２ｂが、当接部６２の両端に固定されることにより、支持台５１がバンド５２に支持される。その結果、アキュムレータ１０が圧縮機本体１に固定される。したがって、この固定部材５０は、ケーシング２を締め付ける役割の他、ケーシング２にアキュムレータ１０を固定する役割も果たしている。図３に示すように、断面視においてケーシング２の外周の略全部が支持台５１とバンド５２によって覆われている。なお、図２に示すように、このバンド５２の幅（上下方向の長さ）は、弾性部材４０の幅（上下方向の長さ）よりも短い。したがって、固定部材５０は、上下方向においてステータ２０と対応する位置の一部に配置されている。
【００３１】
この支持台５１とバンド５２は、それぞれケーシング２を押圧することで、それぞれケーシング２を締め付けている。バンド５２は、両端５２ａ、５２ｂが、当接部６２の両端に固定されることで、ケーシング２を締め付けている。また、支持台５１は、バンド５２の両端５２ａ、５２ｂが当接部６２に固定されることで、ケーシング２を締め付けている。なお、図３において、白抜き矢印は、バンド５２の押圧（締付）方向を示し、黒塗り矢印は、支持台５１の押圧（締付）方向を示す。図３に示すように、断面視においてケーシング２の外周の略全周が、固定部材５０（支持台５１及びバンド５２）によって締め付けられる。
【００３２】
ここで、ケーシング２を締め付けるとは、例えば、断面視において少なくともケーシング２の半周以上が固定部材５０に押圧されている状態を言う。より好ましくは、図３に示すように、断面視においてケーシング２の外周の略全周が固定部材５０に押圧されている状態を言う。
【００３３】
＜本実施形態の圧縮機の特徴＞
本実施形態の圧縮機には、以下の特徴がある。
【００３４】
本実施形態の圧縮機では、ケーシング２の外周かつステータ２０と対応する位置の一部に、ケーシング２を締め付ける固定部材５０（締付部材）が設けられる。そのため、固定部材５０の締付力によって圧縮機本体１の剛性が向上する。したがって、モータ８で生じる電磁加振力に起因する圧縮機本体１の振動を低減できる。特に、この圧縮機では、固定部材５０が、電磁加振力が大きいステータ２０のコア２１と対応する位置に設けられる。そのため、圧縮機本体１の振動を効果的に低減できる。
【００３５】
また、本実施形態の圧縮機では、ケーシング２の外周かつステータ２０と対応する位置の一部に、ケーシング２の全周を覆う弾性部材４０が設けられる。そのため、この弾性部材４０によって、ステータ２０から径方向外側への音響放射を減衰させることができる。したがって、モータ８で生じる電磁加振力に起因する圧縮機本体１の振動を低減できる。特に、この圧縮機では、弾性部材４０が、ステータ２０のコア２１と対応する位置に設けられる。そのため、コア２１から径方向外側への音響放射を効果的に低減できる。
【００３６】
また、本実施形態の圧縮機では、固定部材５０が、支持台５１（固定具）と、支持台５１に取り付けられたバンド５２とを含んでいる。また、ケーシング２と固定部材５０との間に弾性部材４０が設けられる。そのため、この弾性部材４０によって、ステータ２０から径方向外側への音響放射を減衰させることができるとともに、圧縮機本体１からアキュムレータ１０に伝達される振動を抑制できる。したがって、ステータ２０から径方向外側への音響放射を減衰させる弾性部材と、圧縮機本体１からアキュムレータ１０に伝達される振動を抑制する弾性部材とを共通化できる。
【００３７】
従来の圧縮機では、図４に示すように、アキュムレータ１１０と支持台１５１との間に弾性部材１４０が設けられる。そのため、この弾性部材１４０によって、圧縮機本体１０１からアキュムレータ１１０に伝達される振動を抑制できる。しかし、ステータ２０から径方向外側への音響放射を減衰させることはできない。したがって、従来の圧縮機において、ステータ２０から径方向外側への音響放射を減衰させるには、ケーシングの外周に弾性部材１４０とは別の弾性部材を設ける必要がある。
しかし、この圧縮機では、上述のとおり、ケーシング２と固定部材５０との間に弾性部材４０が設けられるので、ステータ２０から径方向外側への音響放射を減衰させる弾性部材と、圧縮機本体１からアキュムレータ１０に伝達される振動を抑制する弾性部材との共通化が可能となる。
【００３８】
また、本実施形態の圧縮機では、アキュムレータ１０の外周にアキュムレータ１０をケーシング２に固定する支持台５１が設けられ、ケーシング２の外周に配置されたバンド５２が支持台５１に取り付けられる。したがって、バンド５２が、ケーシング２を締め付ける役割と、支持台５１を保持する役割を兼ねている。そのため、ケーシング２を締め付ける部材と、支持台５１を保持する部材とを共通化できる。
【００３９】
従来の圧縮機では、図４に示すように、圧縮機本体１０１の外周に支持台１５１が設けられ、アキュムレータ１１０の外周に配置されたバンド１５２が支持台１５１に取り付けられる。そのため、このバンド１５２によって、支持台１５１を保持することはできる。しかし、バンド１５２が圧縮機本体１０１のケーシングの外周を締め付けることはできない。したがって、従来の圧縮機において、圧縮機本体１０１のケーシングの外周を締め付けるには、ケーシングの外周にバンド１５２とは別のバンドを設ける必要がある。
しかし、この圧縮機では、上述のとおり、バンド５２が、ケーシング２を締め付ける役割と、支持台５１を保持する役割を兼ねているので、ケーシング２を締め付ける部材と、支持台５１を保持する部材とを共通化が可能となる。
【００４０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４１】
上記実施形態では、図２及び図３に示すように、ケーシング２の外周かつステータ２０と対応する位置の一部に固定部材５０（締付部材）が設けられるが、上下方向においてステータ２０と対応する位置の全部に固定部材５０が設けられてもよいし、断面視においてケーシング２の外周の全周に固定部材５０が設けられてもよい。また、ケーシング２の外周かつステータ２０と対応する位置の全域に固定部材５０が設けられてもよい。
【００４２】
また、上記実施形態では、図２に示すように、上下方向においてケーシング２の外周かつステータ２０と対応する位置の一部に弾性部材４０が設けられるが、上下方向においてケーシング２の外周かつステータ２０と対応する位置の全部に弾性部材４０が設けられてもよい。すなわち、ケーシング２の外周かつステータ２０と対応する位置の全域に弾性部材４０が設けられてもよい。
【００４３】
また、上記実施形態では、ケーシング２と固定部材５０との間に弾性部材４０が設けられるが、弾性部材４０は、ケーシング２と固定部材５０との間に設けられていなくてもよい。
【００４４】
また、上記実施形態では、固定部材５０は、支持台５１（固定具）とバンド５２とを含んでいるが、固定部材５０はバンド５２のみであってもよい。すなわち、固定部材５０がアキュムレータ１０を固定する部材と別の部材であってもよい。
【００４５】
また、上記実施形態では、支持台５１は、アキュムレータ１０に溶接されているが、支持台５１のアキュムレータへの固定方法は、溶接に限られない。また、支持台５１の形状も特に限定されるものではない。
【００４６】
また、上記実施形態では、固定部材５０（支持台５１およびバンド５２）がケーシング２の外周の略全周を押圧しているが、固定部材５０がケーシング２の外周全周を押圧していてもよいし、固定部材５０がケーシング２の外周半周を押圧していてもよい。
【００４７】
また、上記実施形態では、弾性部材４０をゴム部材としているが、弾性部材４０は、ステータ２０から径方向外側への音響放射を減衰させることができるものであれば、その他材質であってもよい。
【００４８】
また、上記実施形態では、圧縮機は、圧縮機本体１とアキュムレータ１０とを備えているが、圧縮機がアキュムレータ１０を備えていなくてもよい。したがって、本発明の圧縮機は、アキュムレータを有さないものも含む。
【産業上の利用可能性】
【００４９】
本発明を利用すれば、モータで生じる電磁加振力に起因する圧縮機本体の振動を低減できる。
【符号の説明】
【００５０】
１  圧縮機本体
２  ケーシング
８  モータ
１０  アキュムレータ
２０  ステータ
３０  ロータ
４０  弾性部材
５０  固定部材（締付部材）
５１  支持台（固定具）
５２  バンド
【図１】
2015014238.tif 000003
【図２】
2015014238.tif 000004
【図３】
2015014238.tif 000005
【図４】
2015014238.tif 000006